(57)【要約】【課題】  遊技機用記録媒体を払出す販売機と、記録媒体の投入によって遊技媒体を払出す遊技媒体貸出機と、記録媒体残高を精算する精算機と、販売機及び精算機と通信可能に接続され、記録媒体の売上データを管理記憶する管理装置を含む、簡単な構成で安価な遊技媒体貸出システムを提供する。【解決手段】  販売機は貨幣の真偽及び金額識別手段、入金信号による記録媒体払出手段、記録媒体の識別コード読取手段、管理装置送信手段を備え、遊技媒体貸出機は投入された記録媒体の有価価値減算更新手段、遊技媒体貸出手段を備え、精算機は投入された記録媒体の識別コード及び有価価値読取手段、管理装置送信手段、有価価値払出手段を備え、管理装置は販売機から識別コードを受信したときに識別コードを記憶または認識し、精算機から識別コード及び有価価値を受信したときに精算指令を送信すると共に消費した有価価値を売上データとして第三者機関に送信処理する。【選択図】  図１
2007296103.tif 000002
【特許請求の範囲】
【請求項１】
貨幣の投入によって遊技機用記録媒体を払出す販売機と、
遊技機用記録媒体の投入によって遊技媒体を払出す遊技媒体貸出機と、
遊技機用記録媒体の投入によって貨幣を払出す精算機と、
前記販売機及び精算機と通信可能に接続され、
遊技機用記録媒体の固有の識別コードを記憶する記憶手段を有する管理装置と、
を含む遊技媒体貸出システムであって、
前記販売機は、
投入された貨幣の真偽及び金額を識別する識別手段と、
遊技機用記録媒体を払出す遊技機用記録媒体払出手段と、
払出す遊技機用記録媒体の識別コードを読取る読取手段と、
該識別コードを管理装置に送信する送信手段と、
を備え、
前記遊技媒体貸出機は、
投入された遊技機用記録媒体の有価価値を減算更新する更新手段と、
所定個数の遊技媒体を貸出す遊技媒体貸出手段と、
を備え、
前記精算機は、
投入された遊技機用記録媒体の識別コード及び有価価値を読取る読取手段と、
該識別コード及び有価価値を管理装置に送信する送信手段と、
管理装置からの信号を受信したときに当該遊技機用記録媒体が有する有価価値を払出す精算処理手段と、
を備え、
前記管理装置は、
前記販売機から識別コードを受信したときに、当該識別コードを記憶または認識し、
前記精算機から識別コード及び有価価値を受信したときに、該有価価値の精算指令を送信すると共に、消費した有価価値を遊技機用記録媒体の売上データとして第三者機関の売上げ集計システムに送信処理する
ことを特徴とする遊技媒体貸出システム。
【請求項２】
前記販売機には、遊技機用記録媒体に有価価値としての金額または貸出玉数または貸出回数の少なくても何れかを書込む書込手段と、
前記精算機には、遊技機用記録媒体に記録されている有価価値を消去する書込手段
を備えている
ことを特徴とする請求項１記載の遊技媒体貸出システム。
【請求項３】
前記遊技媒体貸出機には、貸出された有価価値を遊技機用記録媒体に書込む書込手段を備えている
ことを特徴とする請求項１記載の遊技媒体貸出システム。
【請求項４】
前記精算機の読取手段は、前記遊技媒体貸出機で書込まれた貸出有価価値を読取ると共に、前記貸出有価価値を管理装置に送信し、
前記管理装置は、精算機で読取られた貸出有価価値を売上データとして第三者機関の売上げ集計システムに送信する
ことを特徴とする請求項１記載の遊技媒体貸出システム。
【発明の詳細な説明】
【技術分野】
【０００１】
本発明は、例えば、パチンコやスロットマシン等の遊技機が設置されたパチンコホールに於ける売上げ管理を第三者機関で行う遊戯媒体貸出システムに関する。
【背景技術】
【０００２】
従来よりパチンコホールでは、現金による遊技媒体（以下「パチンコ玉」という）を貸し出す現金に対応した遊技媒体貸出装置（以下「玉貸機」という）が設置されている。前記玉貸機は、投入された現金の真偽及び金種判別後にパチンコ玉の貸出し動作が行われると共に、貸出し金額がホール内の管理用ホールコンピュータに送られ、売上げ情報として集計、管理されるようになっていた。
【０００３】
しかしながら、上記した現金用の玉貸機における売上げ管理は、ホール経営者のみが行っているため、特段有効なチッェク機構、システムがなく経営の透明化に疑問を抱かせるという問題があった。
【０００４】
このため、近年ではプリペイドカードを使用した玉貸システムが広く導入されるに至っている。このシステムは、カード販売の代金を第三者であるカード販売管理会社が管理、決済することで、ホール経営の透明化を得るものとした。しかしながらこのシステムは、プリペイドカードの不正コピー、金額データの改ざんといった問題が発生し、結果、正確な売上げ管理、把握が行えないというものであった。また、市場（ホール）には上記した現金による玉貸機が多く使用されており、これら全てをプリペイドカード式玉貸システムに交換するには、余りにも設備投資が膨大であり、ホール経営を圧迫することは明白であった。
【０００５】
この様な問題に鑑み、近年、上記現金対応型の玉貸機にカードユニット等の拡張ユニットと通信可能に接続し、当該玉貸機の全体的な動作を集中制御する制御基板にＬＡＮ制御部を介して、第三者機関である外部管理サーバに売上げデータを送信する遊技媒体貸出装置がある。
【特許文献１】特開２００５−２７８８２７号公報
【発明の開示】
【発明が解決しようとする課題】
【０００６】
しかしながら、特開２００５−２７８８２７号公報のものは、各玉貸機にＬＡＮ制御部を備えてあるから多大な配線工事を要すると共に、コスト高とならざるを得ないという問題がある。  
【０００７】
したがって本発明は、上記従来の問題点に鑑み、最低限の簡単な構成で安価に正確な売上管理が行える遊技媒体貸出システムを提供することを目的とする。
【課題を解決するための手段】
【０００８】
上記課題を解決するため、請求項１に記載の発明は、貨幣の投入によって遊技機用記録媒体を払出す販売機と、遊技機用記録媒体の投入によって遊技媒体を払出す遊技媒体貸出機と、遊技機用記録媒体の投入によって貨幣を払出す精算機と、前記販売機及び精算機と通信可能に接続され、遊技機用記録媒体の固有の識別コードを記憶する記憶手段を有する管理装置と、を含む遊技媒体貸出システムであって、前記販売機は、投入された貨幣の真偽及び金額を識別する識別手段と、遊技機用記録媒体を払出す遊技機用記録媒体払出手段と、払出す遊技機用記録媒体の識別コードを読取る読取手段と、該識別コードを管理装置に送信する送信手段と、を備え、前記遊技媒体貸出機は、投入された遊技機用記録媒体の有価価値を減算更新する更新手段と、所定個数の遊技媒体を貸出す遊技媒体貸出手段と、を備え、前記精算機は、投入された遊技機用記録媒体の識別コード及び有価価値を読取る読取手段と、該識別コード及び有価価値を管理装置に送信する送信手段と、管理装置からの信号を受信したときに当該遊技機用記録媒体が有する有価価値を払出す精算処理手段と、を備え、前記管理装置は、前記販売機から識別コードを受信したときに、当該識別コードを記憶または認識し、前記精算機から識別コード及び有価価値を受信したときに、該有価価値の精算指令を送信すると共に、消費した有価価値を遊技機用記録媒体の売上データとして第三者機関の売上げ集計システムに送信処理することを特徴とする。
【０００９】
この請求項１に記載の遊技媒体貸出システムによれば、販売機は、払出された遊技機用記録媒体の少なくとも識別コードを管理装置に送信する。遊技媒体貸出機は、遊技媒体を貸出す毎に前記遊技機用記録媒体が有する有価価値を減算更新する。精算機は、遊技機用記録媒体の識別コード及び有価価値を管理装置に送信すると共に、未使用の有価価値残高を払戻す。管理装置は、前記販売機から受信記憶した識別コードと、精算機から受信した識別コードを照合し、照合結果が一致した場合は、当該識別コードの使用有価価値を売上データとして第三者機関の売上げ集計システムに送信する。これにより、遊技媒体貸出機の売上金額を管理することができる。
【００１０】
請求項２に記載の発明は、請求項１に記載の遊技媒体貸出システムであって、前記販売機には、遊技機用記録媒体に有価価値としての金額または貸出玉数または貸出回数の少なくても何れかを書込む書込手段と、前記精算機には、遊技機用記録媒体に記録されている有価価値を消去する書込手段を備えていることを特徴とする。
【００１１】
この請求項２に記載の遊技媒体貸出システムによれば、遊技機用記録媒体に有価価値としての金額または貸出玉数または貸出回数の何れかを書込む書込手段を備えることで、遊技機用記録媒体を払出す毎に有価価値の書込みを可能とし、予め記録された単一の有価価値である遊技機用記録媒体と異なり、ホールの実情に合った運用形態が可能となる。
【００１２】
請求項３に記載の発明は、請求項１に記載の遊技媒体貸出システムであって、前記遊技媒体貸出機には、貸出された有価価値を遊技機用記録媒体に書込む書込手段を備えていることを特徴とする。
【００１３】
この請求項３に記載の遊技媒体貸出システムによれば、遊技媒体貸出機で貸出された貸出データ（有価価値）を書込むことで、遊技機用記録媒体が記録する有価価値の検証を可能とする。
【００１４】
請求項４に記載の発明は、請求項１に記載の遊技媒体貸出システムであって、前記精算機の読取手段は、前記遊技媒体貸出機で書込まれた貸出有価価値を読取ると共に、前記貸出有価価値を管理装置に送信し、前記管理装置は、精算機で読取られた貸出有価価値を売上データとして第三者機関の売上げ集計システムに送信することを特徴とする。
【００１５】
この請求項４に記載の遊技媒体貸出システムによれば、貸出有価価値を第三者機関の売上げ集計システムに送信することで、売上データの信頼性をさらに高めるものである。
【発明の効果】
【００１６】
本発明の媒体貸出システムによれば、従来のような大幅な設備投資を必要とせずに、遊技媒体貸出装置の正確な売上管理が行えるものである。
【発明を実施するための最良の形態】
【００１７】
以下、本発明の実施の形態を実施例により詳細に説明する。
本実施の形態は、それぞれ横に複数のパチンコ台を並べて形成した遊技島に適用したもので、パチンコ台間には各パチンコ台に付設された玉貸機が配置されている。  図１は、遊技媒体貸出システムの基本構成ブロックを示した売上管理システムである。
【００１８】
遊技客の貨幣の投入によって遊技機用記録媒体（以下「ＩＣコイン」という）を販売するＩＣコイン販売機１００（以下「販売機」という）と、ハチンコ台に隣接して遊技客のＩＣコインの投入によりパチンコ玉を貸出す遊技媒体貸出機である玉貸機２００と、ＩＣコインの投入によってＩＣコインの有価価値残高を貨幣に換金し、遊技客に返却するＩＣコイン精算機３００（以下「精算機」という）と、ＩＣコインの金額情報を一括管理し、売上データ等を集計する管理装置４００が内部通信ネッワーク５００を介して、前記販売機１００と精算機３００と通信可能に接続されている。また、管理装置４００は、外部の通信ネットワーク６００と接続しており、これにより売上データを第三者機関に送信する。
【００１９】
図２は、遊技媒体貸出システム構成図を示す。
前記販売機１００及び精算機３００は、パチンコ台と、パチンコ台間に設置された玉貸機２００とが複数併設されて構成された遊技島１の島端又は遊技店内の各所に夫々設置され、これら機器は、内部通信ネットワーク５００を介して例えば事務所内に設置の管理装置４００に接続されている。
【００２０】
次に販売機１００の前面について、図３の正面図を基に説明する。
販売機１００の前面には、稼動状態を表示する稼動状態表示部１１１と、遊技客より投入される貨幣を受入れる硬貨投入口１１２と、同じく紙幣投入口１１３と、貨幣の投入金額を表示する金額表示部１１４と、貨幣の投入により払出されるＩＣコイン１０の払出口１１５が連設され、払出されたＩＣコイン１０の受取口１１６と、釣札受取口１１７が設けられている。
【００２１】
さらに販売機１００の内部構成を図４に基づいて説明する。
前記硬貨投入口１１２に連設して硬貨セレクタ１２２と、同じく紙幣投入口１１３に連設して紙幣識別機１２３が設けられ、投入された貨幣の真偽及び金額を識別する識別ユニット（識別手段）１２０を構成している。また、販売機１００には、遊技機用記録媒体であるＩＣコイン１０の払出ユニット（遊技機用記録媒体払出手段）１３０が設けられている。前記払出ユニット１３０は、ＩＣコイン１０が貯留されている貯留部１３１と、貯留部１３１の払出口１３１ａに、ＩＣコイン１０の有価情報の読出し／書込みを行うリーダライタ１３２（読取手段）と、有価情報を記録したＩＣコイン１０の払出しを行うＩＣコイン払出部１３３と、貯留部１３１の貯留状況を検出する貯留センサ１３４とを有している。さらには、貯留センサ１３４の検出信号に基づき、不足信号を出力する出力ポート１３５と、投入貨幣金額を記憶する記憶部１３６と、後述する管理装置４００とＩＣコイン１０の有価情報を通信する通信部（送信手段）１３７と、販売機１００の制御プログラムを記憶した制御部１３８と、釣札を払出す紙幣払出ユニット１４０を備えている。
【００２２】
尚、前記ＩＣコイン１０の有価情報としては、当該ＩＣコイン１０の識別コード、有価価値（金額，貸出玉数，貸出度数）等を言い、これら有価情報は、予めＩＣコイン１０に記録してあっても良く、または販売機１００からの発行時に書込んでも良い。
【００２３】
次に、パチンコ玉を貸出す玉貸機２００の前面について図５の正面図を基に説明する。
玉貸機２００の前面には、点灯／消灯により、玉貸機２００の稼動状態を報知・表示するランプ２１１と、ＩＣコイン１０の投入を可能とする投入口２１２と、ＩＣコイン１０が記録している有価価値を表示する有価価値表示部２１３と、当該ＩＣコイン１０の返却口２１４と、パチンコ玉の貸出操作を行う貸出スイッチ２１５と、ＩＣコイン１０の返却操作を行う返却スイッチ２１６と、パチンコ玉をパチンコ台の受け皿に払出す玉払出供給管２１７を備えている。
【００２４】
さらに玉貸機２００の内部構成を図６に基づいて説明する。
玉貸機２００の内部には、前記投入されたＩＣコイン１０の識別コードを読取ると共に、貸出した有価価値を減算し、さらに貸出した貸出玉数または貸出回数等の貸出有価価値をＩＣコイン１０に書込むリーダライター（更新手段）２２１を備えたＩＣコイン処理ユニット２２０と、パチンコ玉を貸出す玉貸出ユニット（遊技媒体貸出手段）２３０と、制御プログラムを記憶し、玉貸機２００の制御を行う制御部２４０を備えている。尚、玉貸機２００には、使用済ＩＣコインを所定の場所に回収する回収装置２５０が接続されている。
【００２５】
次に精算機３００の前面について、図７の正面図を基に説明する。
精算機３００の前面には、当該精算機３００の稼動状態を表示する稼動状態表示部３１１と、ＩＣコイン１０の投入部３１２と、当該投入ＩＣコイン１０の有価価値残高を表示する金額表示部３１３と、当該表示金額の取出口３１４と、が設けられている。
【００２６】
さらに精算機３００の内部構成を図８に基づいて説明する。
前記投入口３１２より投入されたＩＣコイン１０の識別コードと、有価価値残高及び貸出有価価値を読取ると共に、前記有価価値及び貸出有価価値を消去するリーダライター（読取手段）３２０と、前記識別コードを後述する管理装置４００を送信する通信部（送信手段）３３０と、管理装置４００からの精算信号の受信に基づき、当該ＩＣコイン１０の未使用の有価価値を硬貨、紙幣にて遊技客に支払う貨幣払出ユニット（精算処理手段）３５０と、ＩＣコイン１０の回収部３４０と、これら制御プログラムを記憶した制御部３６０とが設けられている。
【００２７】
次に、管理装置４００について、図９はの構成を示すブロック図を基に説明する。
管理装置４００は、前記販売機１００が受入れた受入金額と、発行したＩＣコイン１０の貸出金額等と、玉貸機２００が貸出したパチンコ玉数または貸出度数を集計して第三者機関に送信する。第三者機関は、ホール売上の検証、保証等を行った前記売上データを保管する。
【００２８】
前記管理装置４００は、ＩＣコイン１０の金額情報等を記憶する記憶装置４１０と、管理装置４００の動作を制御するプログラムを格納した制御部４２０とを備え、販売機１００、玉貸機２００、精算機３００との内部通信ネットワーク５００と、第三者機関との外部通信ネットワーク６００とが接続されている。
【００２９】
前記記憶装置４１０は、ホール内で使用される各ＩＣコイン１０の識別コードに関連した有価価値を記憶管理する管理データベース４１１と、各ＩＣコイン１０の取引時刻、精算金額、精算機番号等の履歴を管理する履歴データベース４１２を記憶する。前記管理データベース４１１は、予めホール内で使用される全ＩＣコイン１０の識別コードを記憶しておき、発行によって使用可能状態を認識するか、または発行時に識別コードを記憶する。また、本発明によれば、履歴データベース４１２の情報を集約すれば玉貸機２００の売上を把握することができる。尚、管理装置４００は、例えば販売機１００内に、または前記したように事務所内にあっても良く、限定するものではない。
【００３０】
次に、本発明の遊技媒体貸出システムの販売処理について説明する。
先ず遊技客は、遊技に先立ってＩＣコイン１０を購入するために貨幣を硬貨投入口１１２、紙幣投入口１１３に投入する。投入された貨幣は、硬貨セレクタ１２２または（および）紙幣識別機１２３を介して投入貨幣金額が記憶部１３６に記憶され、例えば、一律の有価価値を（例えば１０００円）記録したＩＣコイン１０の販売額に達すると発行されるか、複数種類の有価価値（例えば３０００円、５０００円、１００００円）の内の選択されたＩＣコイン１０を発行するか、または遊技客が投入した貨幣金額をＩＣコイン１０に記録して払出ユニット１３０より発行が為される。
【００３１】
前記ＩＣコイン１０の発行に当っては、リーダラーター１３２で読取った識別コードを、また貨幣金額を記録するものにあっては有価価値を管理装置４００に送信する。管理装置４００が当該識別コードを認識または登録し、管理装置４００からの応答信号を販売機１００が受信すると受取口１１６に払出される。
【００３２】
次に、本発明の遊技媒体貸出システムの玉貸処理について説明する。
先ず、遊技客によりＩＣコイン１０が投入口２１２に投入され、リーダライター２２１によって識別コード及び有価価値が読取られる。読取られた有価価値（例えば１０００円＝１０）が有価価値表示２１２に表示される。
【００３３】
次に、貸出スイッチ２１５が操作（押圧）されると、予め設定された所定固数のパチンコ玉が玉貸出ユニット２３０にて玉払出供給管２１７を介してパチンコ台の受け皿に払出される。
【００３４】
制御部２４０は、前記貸出操作信号を受信すると、投入のＩＣコイン１０の有価価値（金額、貸出玉数，貸出度数）を減算すると共に、貸出有価価値（貸出玉数，貸出度数）の加算をリーダライター２２１に指示し、当該ＩＣコイン１０の有価価値を更新すると共に、新たに貸出有価価値を記録する。この貸出有価価値の記録によって玉貸機２００の売上管理を一層確かなものとする。
【００３５】
その後、同様な操作が行われ、ＩＣコイン１０の有価価値がゼロとなった場合には、ＩＣコイン１０は、回収装置２５０によって所定の場所に回収されると共に、回収装置２５０に設けられたリーダライター２６０によって、識別コード及び貸出有価価値が読取られ、管理装置４００に送信される。または返却スイッチ２１６の操作信号を受信すると、ＩＣコイン１０の保留を解除して、返却口２１４に返却される。
【００３６】
次に、本発明の遊技媒体貸出システムの精算処理について説明する。
先ず、遊技客によりＩＣコイン１０が投入口３１２に投入され、リーダライター３２０によって識別コードと、有価価値及び貸出有価価値が読取られる。読取られたデータは内部通信ネットワーク５００を介して記憶装置４１０の管理データベース４１１に送信される。
【００３７】
管理装置４００は、精算機３００からの応答信号を受信すると、送信データの識別コードが発行済で有るか否かを確認する。発行済の識別コードで有るなら精算機３００の金額表示部３１３に有価価値残高を表示させると共に、前記有価価値の払出しを許可する信号を制御部３５０に対し送信する。と同時にこれら取引時刻、精算金額、精算機番号等が履歴データベース４１２に記憶される。
【００３８】
精算機３００の制御部３５０は、前記した貨幣払出ユニット３４０に対し、有価価値残高を払出すよう制御を行う。またＩＣコイン１０に有価価値が記録されるものあっては、有価価値を消去して回収部３４０に回収される。尚、部識別コードが発酵済と確認が行えなかった場合は、エラーとして報知される。
【００３９】
また、閉店後、若しはリアルタイムに、管理装置４００は、精算したＩＣコイン１０の売上データ及び貸出データを集計し、これらデータを暗号化して外部通信ネットワーク６００を介して第三者機関に送信する。尚、第三者機関に送信されるデータは、改竄防止のため見ることができない。
【図面の簡単な説明】
【００４０】
【図１】本発明の遊技媒体貸出システムを実施した売上管理システム図である。
【図２】遊技媒体貸出システム構成図である。
【図３】ＩＣコイン販売機の正面図である。
【図４】ＩＣコイン販売機の内部構成図である。
【図５】遊技媒体貸出機の正面図である。
【図６】遊技媒体貸出機の内部構成図である。
【図７】ＩＣコイン精算機の正面図である。
【図８】ＩＣコイン精算機の内部構成図ある。
【図９】管理装置の構成を示すブロック図である。
【符号の説明】
【００４１】
１０  ＩＣコイン
１００  販売機
２００  遊技媒体貸出機
３００  精算機
４００  管理装置
５００  内部通信ネットワーク
６００  外部通信ネットワーク
【図１】
2007296103.tif 000003
【図２】
2007296103.tif 000004
【図３】
2007296103.tif 000005
【図４】
2007296103.tif 000006
【図５】
2007296103.tif 000007
【図６】
2007296103.tif 000008
【図７】
2007296103.tif 000009
【図８】
2007296103.tif 000010
【図９】
2007296103.tif 000011